(57)【要約】【課題】  印刷版への適切な水の供給を行いながら、印刷版と版胴との間への水の侵入を防止することができるオフセット印刷機を提供することを目的とする。【解決手段】  水着けローラ７７は、版胴１１の回転軸と平行な回転軸を有し、その回転軸方向の長さＤは、印刷版Ｐにおける版胴１１の回転軸方向の長さＦよりも小さく、オフセット印刷機により印刷可能な最大紙の搬送方向と垂直な方向の長さＢよりも大きく構成される。また、水着けローラ７７の回転軸方向の長さＤは、ブランケットＱにおけるブランケット胴１３の回転軸方向の長さＥよりも小さく、インキ着けローラ５２の回転軸方向の長さＣよりも大きく構成される。さらに、水着けローラ７７の回転方向の長さＤは、印刷有効領域Ｒにおける版胴１１の回転軸方向の長さＡよりも大きく構成される。【選択図】        図５
2005254650.tif 000002
【特許請求の範囲】
【請求項１】
版胴に装着された印刷版と当接することにより当該印刷版に対して湿し水を供給するための水着けローラを備えるオフセット印刷機において、
前記水着けローラは、前記版胴の回転軸と平行な回転軸を有し、
前記水着けローラの回転軸方向の長さは、前記印刷版における前記版胴の回転軸方向の長さよりも小さく、かつ、当該オフセット印刷機により印刷可能な最大紙の搬送方向と垂直な方向の長さよりも大きく構成されることを特徴とするオフセット印刷機。
【請求項２】
請求項１に記載のオフセット印刷機において、
前記版胴の回転軸と平行な回転軸を有し、その外周面に装着されたブランケットが前記版胴の外周面に装着された印刷版と当接可能に配置されたブランケット胴を備え、
前記水着けローラの回転軸方向の長さは、前記ブランケットにおける前記ブランケット胴の回転軸方向の長さよりも小さく構成されるオフセット印刷機。
【請求項３】
請求項１または請求項２に記載のオフセット印刷機において、
前記版胴の回転軸と平行な回転軸を有し、前記版胴に装着された印刷版と当接することにより当該印刷版に対してインキを供給するためのインキ着けローラを備え、
前記水着けローラの回転軸方向の長さは、前記インキ着けローラの回転軸方向の長さよりも大きく構成されるオフセット印刷機。
【請求項４】
版胴に装着された印刷版に対し画像データに基づいて画像を記録することによりこの印刷版を製版し、製版後の印刷版に対して水着けローラにより湿し水を供給するとともにインキ着けローラによりインキを供給した後、このインキをブランケットを介して印刷用紙に転写することにより印刷を行う印刷機において、
前記水着けローラは、前記版胴の回転軸と平行な回転軸を有し、
前記水着けローラの回転軸方向の長さは、前記印刷版における前記版胴の回転軸方向の長さよりも小さく、当該オフセット印刷機により印刷可能な最大紙の搬送方向と垂直な方向の長さよりも大きく構成されることを特徴とするオフセット印刷機。
【請求項５】
請求項１乃至請求項４のいずれかに記載のオフセット印刷機において、
前記印刷版の材質は、樹脂であるオフセット印刷機。
【発明の詳細な説明】
【技術分野】
【０００１】
この発明は、版胴に装着された印刷版と当接することにより当該印刷版に対して湿し水を供給するための水着けローラを備えるオフセット印刷機に関する。
【背景技術】
【０００２】
従来の一般的な印刷機においては、製版工程において白黒二値画像の記録されたフィルムと印刷版とを密着させて露光することにより印刷版を作成し、この印刷版を印刷機に装着した上で、印刷工程を実行していた。
【０００３】
一方、近年、このような製版工程と印刷工程とを一の装置で実行することができる、デジタル印刷機と一般的に呼称される印刷機が提案されている。このデジタル印刷機においては、画像信号に基づき変調されたレーザビーム等により、印刷版を直接走査露光して印刷版に画像を形成する「コンピュータｔｏプレート方式」が採用されている。
【０００４】
このような印刷は、特許文献１に記載される装置により実現される。特許文献１に記載の装置は、第１、第２の版胴に保持された印刷版に画像を記録し、次いで印刷版に供給されたインキを第１、第２のブランケット胴を介して圧胴に保持された印刷用紙に転写することにより印刷を行うものである。
【０００５】
この印刷機は、第１、第２の版胴が印刷位置と画像記録位置との間を移動し、印刷位置に移動した版胴の周囲に、印刷版にインキを供給するためのインキ供給装置と、印刷版に湿し水を供給するための湿し水供給装置とを備える。また、この印刷機は、さらに、画像記録位置に移動した版胴の周囲に、給版部と、排版部と、画像記録装置と、現像処理装置とを備える。
【特許文献１】特許第３４６６８６７号
【発明の開示】
【発明が解決しようとする課題】
【０００６】
特許文献１に記載されるような、印刷版をオペレータの手を介さずに自動的に供給及び排出するオフセット印刷機においては、版胴表面に湿し水等が付着してぬれている場合、印刷版と版胴とが密着し、印刷版の供給及び排出に支障を来すことになる。
【０００７】
特に、特許文献１に記載されるような、製版工程と印刷工程とを同一の装置で実行するオフセット印刷機においては、印刷版をロール形状で供給するために、例えばポリエステルをベースとした軽くて柔軟な素材からなる樹脂製の印刷版が使用される。このため、印刷版と版胴との間に湿し水が侵入した場合、一般的なアルミベースの印刷版に比べて、印刷版と版胴とが不均一な状態で密着しやすくなり、印刷版を装着する時の印刷版の位置精度が劣化するという問題も生ずる。例えば、湿し水の付着による印刷版の装着ミスや見当不良、または、装着時に歪が発生するという問題である。
【０００８】
この発明は、このような問題を解決するためになされたものであり、印刷版への適切な湿し水の供給を行いながら、版胴表面への湿し水の直接の付着を防止し、かつ、印刷版と版胴との間への湿し水の侵入を防止することができるオフセット印刷機を提供することを目的とする。
【課題を解決するための手段】
【０００９】
請求項１に記載の発明は、版胴に装着された印刷版と当接することにより当該印刷版に対して湿し水を供給するための水着けローラを備えるオフセット印刷機において、前記水着けローラは、前記版胴の回転軸と平行な回転軸を有し、前記水着けローラの回転軸方向の長さは、前記印刷版における前記版胴の回転軸方向の長さよりも小さく、かつ、当該オフセット印刷機により印刷可能な最大紙の搬送方向と垂直な方向の長さよりも大きく構成されることを特徴とする。
【００１０】
請求項２に記載の発明は、請求項１に記載のオフセット印刷機において、前記版胴の回転軸と平行な回転軸を有し、その外周面に装着されたブランケットが前記版胴の外周面に装着された印刷版と当接可能に配置されたブランケット胴を備え、前記水着けローラの回転軸方向の長さは、前記ブランケットにおける前記ブランケット胴の回転軸方向の長さよりも小さく構成される。
【００１１】
請求項３に記載の発明は、請求項１または請求項２に記載のオフセット印刷機において、前記版胴の回転軸と平行な回転軸を有し、前記版胴に装着された印刷版と当接することにより当該印刷版に対してインキを供給するためのインキ着けローラを備え、前記水着けローラの回転軸方向の長さは、前記インキ着けローラの回転軸方向の長さよりも大きく構成される。
【００１２】
請求項４に記載の発明は、版胴に装着された印刷版に対し画像データに基づいて画像を記録することによりこの印刷版を製版し、製版後の印刷版に対して水着けローラにより湿し水を供給するとともにインキ着けローラによりインキを供給した後、このインキをブランケットを介して印刷用紙に転写することにより印刷を行う印刷機において、前記水着けローラは、前記版胴の回転軸と平行な回転軸を有し、前記水着けローラの回転軸方向の長さは、前記印刷版における前記版胴の回転軸方向の長さよりも小さく、当該オフセット印刷機により印刷可能な最大紙の搬送方向と垂直な方向の長さよりも大きく構成されることを特徴とする。
【００１３】
請求項５に記載の発明は、請求項１乃至請求項４のいずれかに記載のオフセット印刷機において、前記印刷版の材質は、樹脂である。
【発明の効果】
【００１４】
請求項１に記載の発明によれば、水着けローラの回転軸方向の長さは、印刷版における版胴の回転軸方向の長さよりも小さく構成されることから、印刷版への適切な湿し水の供給を行いながら、版胴へ直接湿し水が付着すること、および、印刷版と版胴との間への湿し水の侵入（回り込み）を防止することが可能となる。これにより、印刷版と版胴との間の吸着を防止し、給版・排版をスムースに行うことが可能となる。さらに、水着けローラの回転軸方向の長さは、当該オフセット印刷機により印刷可能な最大紙の搬送方向と垂直な方向の長さよりも大きく構成されることから、水着けローラのエッジ部に付着する汚れが印刷物に転写することを防止することが可能となる。
【００１５】
請求項２に記載の発明によれば、水着けローラの回転軸方向の長さは、ブランケットにおけるブランケット胴の回転軸方向の長さよりも小さく構成されることから、ブランケット胴とブランケットとの間への湿し水の浸入を防止することが可能となる。これにより、ブランケット胴とブランケットとの間に胴下用紙を挿入する場合であっても、胴下用紙が湿し水を吸収して膨張することによる版圧のむらの発生を防止することが可能となる。
【００１６】
請求項３に記載の発明によれば、水着けローラの回転軸方向の長さは、インキ着けローラの回転軸方向の長さよりも大きく構成されることから、印刷版への適切なインキの供給を行うことが可能となる。
【００１７】
請求項４および請求項５に記載の発明によれば、版胴に装着された印刷版に対し画像データに基づいて画像を記録することによりこの印刷版を製版し、製版後の印刷版に対して水着けローラにより湿し水を供給するとともにインキ着けローラによりインキを供給した後、このインキをブランケットを介して印刷用紙に転写することにより印刷を行う印刷機において、水着けローラの回転軸方向の長さは、印刷版における版胴の回転軸方向の長さよりも小さく構成されることから、製版容易で柔軟な材質の印刷版を使用する場合においても、印刷版と版胴との間の吸着を防止し、給版・排版をスムースに行うことが可能となる。
【００１８】
請求項５に記載の発明によれば、印刷版の材質が樹脂であることから、製版容易で柔軟な材質の印刷版を使用する場合においても、印刷版と版胴との間の吸着を防止し、給版・排版をスムースに行うことが可能となる。
【発明を実施するための最良の形態】
【００１９】
以下、この発明の実施の形態を図面に基づいて説明する。図１はこの発明に係る印刷機の側面概要図である。
【００２０】
この印刷機は、第１、第２の版胴１１、１２に各々２枚ずつ保持された画像が記録されていない印刷版に画像を記録して製版した後、この印刷版に供給されたインキを第１、第２のブランケット胴１３、１４を介して圧胴１５に保持された印刷用紙に転写することにより印刷を行うものである。
【００２１】
この印刷機は、第１の版胴１１と、第２の版胴１２と、第１の版胴１１と当接可能に設けられた第１のブランケット胴１３と、第２の版胴１２と当接可能に設けられた第２のブランケット胴１４と、第１のブランケット胴１３に対して当接可能に設けられた第１の圧胴１５と、第２のブランケット胴１４に対して当接可能に設けられた第２の圧胴１６と、給紙部３１から供給された印刷用紙を圧胴１５に渡すための給紙胴１７と、第１の圧胴１５から受け取った印刷物を第２の圧胴に渡すための渡し胴１８と、第２の圧胴１６に隣接して配置された排紙胴１９とを備える。
【００２２】
第１のブランケット胴１３と当接可能に設けられた圧胴１５は、第１の版胴１１および第１のブランケット胴１３の直径の１／２の直径を有する。また、第２のブランケット胴１４と当接可能に設けられた圧胴１６は、第２の版胴１２および第２のブランケット胴１４の直径の１／２の直径を有する。なお、第１および第２の圧胴１５、１６は、印刷用紙の先端を保持して搬送するための図示しないグリッパを有する。
【００２３】
また、第１の圧胴１５に隣接して配設された給紙胴１７は、第１の圧胴１５と同一の直径を有する。この給紙胴１７は、給紙部３１から１枚ずつ供給された印刷用紙の先端部を図示しないグリッパにより保持して搬送する。グリッパにより保持された印刷用紙の先端部は、給紙胴１７から第１の圧胴１５への印刷用紙の受け渡し時に、第１の圧胴１５のグリッパにより保持される。
【００２４】
第１の圧胴１５と第２の圧胴１６との間に配設された渡し胴１８は、第１、第２の版胴１１、１２および第１、第２のブランケット胴１３、１４の直径と同一の直径を有する。この渡し胴１８は、第１の１５から受け取った印刷物の先端を図示しないグリッパにより保持して搬送し、この印刷物の先端を第２の圧胴１６のグリッパに受け渡す。
【００２５】
第２の圧胴１６に隣接して配置された排紙胴１９は、第１、第２の版胴１１、１２および第１、第２のブランケット胴１３、１４の直径と同一の直径を有する。この排紙胴１９は、その両端部に一対のチェーン２３を巻回した構造を有し、この一対のチェーン２３を連結する図示しない連結部材上に、グリッパが配設されている。第２の圧胴１６のグリッパにより保持された印刷用紙の先端部は、第２の圧胴１６から排紙胴１９への印刷物の受け渡し時に、排紙胴１９のいずれかのグリッパにより保持される。そして、この印刷物は、チェーン２３の移動に伴って、排紙部３２上に排出される。
【００２６】
第１、第２の圧胴１５、１６、給紙胴１７、排紙胴１９、第１、第２のブランケット胴１３、１４は、各々その端部に付設されたギヤにより連結されている。さらに、第１のブランケット胴１３と第１の版胴１１、および、第２のブランケット胴１４と第２の版胴１２とは、その端部に付設されたギヤにより各々連結されている。従って、駆動モータの駆動により、これらの給紙胴１７、圧胴１５、排紙胴１７、第１、第２のブランケット胴１３、１４、第１、第２の版胴１１、１２は、互いに同期して回転する。
【００２７】
第１の版胴１１の周囲には、第１の版胴１１の外周部に装着された一方の印刷版に対し、例えばブラック（Ｋ）のインキを供給するためのインキ供給装置２０ａと、第１の版胴１１の外周部に装着された他方の印刷版に対し、例えばマゼンタ（Ｍ）のインキを供給するためのインキ供給装置２０ｂと、印刷版におけるインキ供給装置２０ａによりインキが供給される領域に湿し水を供給するための湿し水供給装置２１ａと、印刷版におけるインキ供給装置２０ｂによりインキが供給される領域に湿し水を供給するための湿し水供給装置２１ｂとが配置されている。また、第２の版胴１２の周囲には、第２の版胴１２の外周部に装着された一方の印刷版に対し、例えばシアン（Ｃ）のインキを供給するためのインキ供給装置２０ｃと、第２の版胴１２の外周部に装着された一方の印刷版に対し、例えばイエロー（Ｙ）のインキを供給するためのインキ供給装置２０ｄと、印刷版におけるインキ供給装置２０ｃによりインキが供給される領域に湿し水を供給するための湿し水供給装置２１ｃと、印刷版におけるインキ供給装置２０ｄによりインキが供給される領域に湿し水を供給するための湿し水供給装置２１ｄとが配置されている。
【００２８】
さらに、第１の版胴１１または第２の版胴１２の周囲には、それぞれ、第１の版胴１１の外周部に印刷版を供給するための給版部３３と、第２の版胴１２の外周部に印刷版を供給するための給版部３４と、第１の版胴１１の外周部に装着された印刷版に画像を記録するための画像記録装置３５と、第２の版胴１２の外周部に装着された印刷版に画像を記録するための画像記録装置３６とが配置されている。
【００２９】
図２は上述したインキ供給装置２０ａ、２０ｂ、２０ｃ、２０ｄ（これらを総称する場合には「インキ供給装置２０」という）におけるインキ供給部の側面概要図であり、図３はその平面図である。なお、図３においては、インキ５０、インキ供給ローラ５２、インキ元ローラ５３等の図示を省略している。
【００３０】
このインキ供給部は、その軸線方向が印刷物の幅方向（印刷機による印刷方向と直交する方向）に向けて配置されたインキ元ローラ５１と、印刷物の幅方向に対して分割されたＬ個の領域に対応してＬ個列設され、各々がインキ元ローラ５１の外周面に対する開度を調整可能に構成されたインキキー５４（１）、５４（２）・・・５４（Ｌ）（これらを総称する場合には「インキキー５４」という）と、第１の版胴１１または第２の版胴１２上の印刷版にインキを供給するためのインキ供給ローラ５２と、前記インキ元ローラ５１とインキ供給ローラ５２との間に配置され、両ローラと当接可能に往復動する揺動ローラ５３とを備え、これらのインキ元ローラ５１とインキキー５４とで構成されるインキつぼ内にインキ５０を貯留可能な構成となっている。
【００３１】
各インキキー５４の裏面側には、各インキキー５４のインキ元ローラ５１に対する開度を変更するために、インキキー５４をインキ元ローラ５１の表面に向けて各々押圧するための、Ｌ個の偏芯カム５５が配設されている。これらの偏芯カム５５は、各々、軸５６を介して、偏芯カ５５を回転駆動するためのＬ個のパルスモータ５７と連結されている。パルスモータ５７に対し、インキキー駆動パルスを印加した場合には、パルスモータ５７の駆動により軸５６を中心に偏芯カム５５が回転し、各インキキー５４への押圧力が変更されることにより、各インキキー５４のインキ元ローラ５１に対する開度が変更され、インキ元ローラ５１へのインキの供給量が変更される。
【００３２】
インキ供給ローラ５２は、図１に示すように、複数のインキローラを介して、後述するインキ着けローラ５８にインキを供給する構成となっている。このインキ着けローラ５８は、第１の版胴１１または第２の版胴１２と当接することにより、印刷版にインキを供給するローラである。
【００３３】
図４は、湿し水供給装置２１ａ、２１ｂ、２１ｃ、２１ｄ（これらを総称する場合には「湿し水供給装置２１」という）における湿し水供給部を示す概略図である。
【００３４】
これらの湿し水供給装置２１は、インキ供給装置２０により印刷版Ｐにインキを供給する前に、印刷版Ｐに湿し水を供給するものであり、湿し水を貯留する貯留槽７４と、この貯留槽７４に一部浸漬するように配置された水元ローラ７５と、第１版胴１１または第２の版胴１２上の印刷版に対し当接して回転する水着けローラ７７と、前記水元ローラ７５と水着けローラ７７との間に配置され、両ローラと当接する渡しローラ７６と、前記水着けローラ７７に対し当接するライダーローラ７８とを備える。
【００３５】
貯留槽７４は、図示しない循環手段によって循環される湿し水を貯留するものであって、例えば図示しないオーバーフロー機構により湿し水の水位を一定に保っている。また循環される湿し水の水温を一定に保つ図示しない温度調整機構も備えられている。
【００３６】
水元ローラ７５は、その表面が親水化されたローラであり、図示しない駆動手段によって、図３における反時計方向に回転されることにより、前記貯留槽７４からその表面に湿し水を汲み上げる。なお、水元ローラ７５の回転速度は湿し水の供給量に応じ、図示しない制御手段によって変更することができる。
【００３７】
水着けローラ７７は、前記渡しローラ７６との当接を維持した状態で、図示しないカム機構によって第１の版胴１１または第２の版胴１２に対し、図３において実線で示す当接位置と二点鎖線で示す離隔位置とを移動可能に構成されたゴムローラであり、第１の版胴１１または第２の版胴１２と同一周方向に回転する。この水着けローラ７７は、前記水元ローラ７５が汲み上げた湿し水を渡しローラ７６を介して受け取り、所定の版面に対し供給する。
【００３８】
渡しローラ７６は、その表面が親水処理された金属ローラであって、水元ローラ７５から水着けローラ７７に対し湿し水を伝達する。
【００３９】
ライダーローラ７８は、その表面が前記渡しローラ７６よりも平滑な金属ローラであって、水着けローラ７７上に転移した湿し水を受けて押しならすためのローラである。このライダーローラ７８は図示しない揺動手段により第１の版胴１１または第２の版胴１２の軸線方向に対し揺動するように構成されている。
【００４０】
再度図１を参照して、第１の版胴１１または第２の版胴１２の周囲には、それぞれ、第１の版胴１１の外周部に印刷版Ｐを供給するための給版部３３と、第２の版胴の外周部に印刷版を供給するための給版部３４と、第１の版胴１１の外周部に装着された印刷版に画像を記録するための画像記録装置３５と、第２の版胴１２の外周部に装着された印刷版に画像を記録するための画像記録装置３６と、第１の版胴１１および第２の版胴１２に共通の排版部とが配置されている。
【００４１】
このような構成を有する印刷機においては、給版部３３における供給カセット４１から引き出された印刷版はカッター４２により所定のサイズに切断される。そして、切断されたシート状の印刷版の先端部は、ガイドローラおよびガイド部材により案内され、第１の版胴１１のくわえ爪にくわえられる。そして、第１の版胴１１が回転して印刷版が第１の版胴１１の外周部に巻き付けられ、印刷版の後端部は他方のくわえ爪によりくわえられる。この状態において、第１の版胴１１を低速で回転させながら、画像記録装置３５により第１の版胴１１の外周部に保持された印刷版の表面に変調されたレーザビームを照射し、画像を記録する。
【００４２】
同様に、給版部３４における供給カセット４３から引き出された印刷版はカッター４４により所定のサイズに切断される。そして、切断されたシート状の印刷版の先端部は、ガイドローラおよびガイド部材により案内され、第２の版胴１２のくわえ爪にくわえられる。そして、第２の版胴１２が回転して印刷版が第２の版胴１２の外周部に巻き付けられ、印刷版の後端部は他方のくわえ爪によりくわえられる。この状態において、第２の版胴１２を低速で回転させながら、画像記録装置２６により第２の版胴１２の外周部に保持された印刷版の表面の印刷有効領域に変調されたレーザビームを照射し、画像を記録する。
【００４３】
製版工程が完了すれば、第１、第２の版胴１１、１２上の印刷版を用いて印刷用紙に印刷を行う印刷工程を実行する。この印刷工程は、次のようにして実行される。
【００４４】
すなわち、先ず、各湿し水供給装置２１および各インキ供給装置２０を第１、第２の版胴１１、１２上に保持された印刷版のうちの対応する印刷版とのみ当接させる。これにより、各印刷版には対応する各湿し水供給装置２１および各インキ供給装置２０から湿し水とインキとが供給される。そして、印刷版に供給されたインキは、第１、第２のブランケット胴１３、１４の対応する領域に転写される。
【００４５】
そして、印刷用紙を給紙胴１６に供給する。この印刷用紙は、給紙胴１６から圧胴１５に渡される。この状態で、圧胴１５が回転を続けると、圧胴１５は、第１、第２の版胴１１、１２および第１、第２のブランケット胴１３、１４の１／２の直径を有することから、圧胴１５の外周部に保持された印刷用紙には、その１回転目においてブラックとシアンのインキが、また、その２回転目においてマゼンタとイエローのインキが転写される。
【００４６】
このようにして、４色の印刷が終了した印刷用紙の先端部は、圧胴１５から排紙胴１７に渡される。そして、４色の印刷が終了した印刷用紙は、一対のチェーン１９の駆動により、排紙部３２に向けて搬送されて排出される。
【００４７】
印刷工程が終了すれば、印刷に使用した印刷版を排版部に排出する。そして、図示しないブランケット胴洗浄装置により第１、第２のブランケット胴１３、１４を洗浄して印刷工程を終了する。
【００４８】
図５は、その外周部に印刷版Ｐを装着した第１の版胴１１、インキ着けローラ５８、水着けローラ７７、および、第１のブランケット胴１３を、その配置を展開して示す説明図である。
【００４９】
なお、第１の版胴１１の周囲には、印刷版にブラックのインキを供給するための複数のインキ着けローラと、印刷版にマゼンタのインキを供給するための複数のインキ着けローラとが配設されている。図５においては、説明の便宜上、これらのインキ着けローラのうちの１本のインキ着けローラ５８のみを図示している。その他のインキ着けローラも図５に示すインキ着けローラ５８と同様の構成を有する。
【００５０】
第１の版胴１１の側面に配設される版胴ギヤ８１と第１のブランケット胴１３の側面に配設されるブランケット胴ギヤ８２とが噛合しており、第１の版胴１１と第１のブランケット胴１３とは、互いに同期して回転する。また、版胴１１と、水着けローラ７７およびインキ着けローラ５８とは、図示しない駆動伝達ギヤにより連結されており、互いに同期して回転する。
【００５１】
このインキ着けローラ５８は、カム等の作用で版胴に対して接離動作を行う。そして、この接離動作により、第１の版胴１１の外周部に保持された２枚の印刷版Ｐのうち、一方の印刷版Ｐにインキ供給装置２０ａのインキ着けローラ５８が、また、他方の印刷版Ｐにインキ供給装置２０ｂのインキ着けローラ５８が各々接触することにより、各印刷版Ｐにインキを供給しうる構成となっている。
【００５２】
なお、第２の版胴１２も、図５と同様の構成を有する。そして、第２の版胴１２の外周部に保持された２枚の印刷版Ｐのうち、一方の印刷版Ｐにインキ供給装置２０ｃのインキ着けローラ５８が、また、他方の印刷版Ｐにインキ供給装置２０ｄのインキ着けローラ５８が各々接触することにより、各印刷版Ｐにインキを供給しうる構成となっている。以下、第１の版胴１１についてのみ説明し、これと同様の構成を有する第２の版胴１２についての説明を省略する。
【００５３】
このインキ着けローラ５８には、上述したように揺動ローラ５３との当接によりインキを供給されたインキ供給ローラ５２から、複数のインキ供給ローラを介してインキが供給される。そして、このインキ着けローラ５８は、第１の版胴１１の外周部に装着された印刷版Ｐと当接することにより、印刷版Ｐにインキを供給する。なお、インキ元ローラ５１、インキ供給ローラ５２、揺動ローラ５３、および、インキ着けローラ５８は、第１の版胴１１の軸に平行に配置される。
【００５４】
一方、上述した湿し水供給装置２１のうち、湿し水供給装置２１ａにおける水着けローラ７７は第１の版胴１１に保持された２枚の印刷版Ｐのうち一方の印刷版Ｐに、湿し水供給装置２１ｂにおける水着けローラ７７は他方の印刷版Ｐに湿し水を供給するように版胴に対して接離可能に構成されている。
【００５５】
また、同様に、湿し水供給装置２１ｃにおける水着けローラ７７は第２の版胴１２に保持された２枚の印刷版Ｐのうち一方の印刷版Ｐに、湿し水供給装置２１ｄにおける水着けローラ７７は他方の印刷版Ｐに湿し水を供給しうるように版胴に対して接離可能に構成されている。
【００５６】
図６は、印刷有効領域Ｒ、印刷版Ｐ、第１の版胴１１、インキ着けローラ５８、水着けローラ７７、および、ブランケットＱの長さの関係を示す説明図である。
【００５７】
図５および図６において、Ａは印刷有効領域Ｒにおける第１の版胴１１の回転軸方向の長さを、Ｂは最大紙の搬送方向と垂直な方向の長さを、Ｃはインキ着けローラ５８における回転軸方向の長さを、Ｄは水着けローラ７７における回転軸方向の長さを、Ｅは第１のブランケット胴１３に装着されたブランケットＱにおける第１のブランケット胴１３の回転軸方向の長さを、Ｆは印刷版Ｐにおける第１の版胴１１の回転軸方向の長さを示している。
【００５８】
図５および図６に示すように、水着けローラ７７は、第１の版胴１１の回転軸と平行な回転軸を有し、その回転軸方向の長さＤは、印刷版における第１の版胴１１の回転軸方向の長さＦよりも小さく構成される。このため、印刷版Ｐへの適切な湿し水の供給を行いながら、版胴面上に湿し水が直接付着することを防止し、かつ、印刷版Ｐと第１の版胴１１との間への湿し水の浸入を防止することが可能となる。これにより、印刷版Ｐと第１の版胴１１との間の密着を防止し、給版・排版をスムースに行うことが可能となる。
【００５９】
特に、印刷版Ｐが樹脂製の印刷版である場合、一般的なアルミベースの印刷版よりも湿し水による密着力の影響が大きいため、本発明は有効である。
【００６０】
さらに、水着けローラ７７の回転軸方向の長さＤは、印刷可能な最大紙の搬送方向と垂直な方向の長さＢよりも大きく構成される。これにより、水着けローラ７７の端部にあらわれやすいインキ汚れが、印刷用紙上に転写されることも防止することができる。
【００６１】
また、第１のブランケット胴１３は、対応する第１の版胴１１の回転軸と平行な回転軸を有する。この第１のブランケット胴１３の表面には、ブランケットが装着され、この第１のブランケット胴１３とブランケットＱとの間には胴下用紙が挿入されることがある。この胴下用紙は、版圧を調整するために用いられるものである。しかしながら、この胴下用紙が湿し水を吸収することにより膨張すると、版圧を一定に保持することが不可能となる。そこで、水着けローラ７７の回転軸方向の長さＤは、ブランケットにおける第１のブランケット胴１３の回転軸方向の長さＥよりも小さく構成される。これにより、第１のブランケット胴１３とブランケットＱとの間に湿し水が浸入することを防止することが可能となる。そして、第１のブランケット胴１３とブランケットＱとの間に備えられる胴下用紙が湿し水を吸収することを防止することが可能となる。
【００６２】
また、水着けローラ７７の回転軸方向の長さＤは、インキ着けローラ５８の回転軸方向の長さＣよりも大きく構成される。このため、インキ着けローラ５８により印刷版にインキが供給される領域は、常に、水着けローラ７７により印刷版に湿し水が供給された領域内となる。これにより、印刷版Ｐへの適切なインキの供給を行うことが可能となる。
【００６３】
さらに、水着けローラ７７の回転方向の長さＤは、印刷有効領域Ｒにおける第１の版胴１１の回転軸方向の長さＡよりも大きく構成される。このため、印刷有効領域Ｒ全域に湿し水を供給することができ、印刷版Ｐへの適切な湿し水の供給を行うことが可能となる。
【００６４】
なお、水着けローラ７７の回転軸方向の中央から端部までの長さＤ／２は、印刷版における第１の版胴１１の回転軸方向の中央から端部までの長さＦ／２よりも、少なくとも３乃至５ｍｍ大きく構成されることが好ましい。これは、版胴の見当合わせの移動に伴い、版胴に対する水着けローラ７７の位置が、回転軸方向に片側約２乃至３ｍｍ程度変動するように設定されていることから、この位置変動の最大値においても湿し水ローラが印刷版Ｐの面外にはみ出さないようにするためである。
【００６５】
なお、上述した実施形態において、第１の版胴１１および第２の版胴１２には、各々２枚の印刷版Ｐが保持されているが、それぞれの版胴１１、１２には、複数の画像領域が形成された単一の印刷版を保持してもよい。
【００６６】
また、上述した説明においては、第１の版胴１１および第１のブランケット胴１３等のみについて説明したが、第２の版胴１２および第２のブランケット胴１４等も第１の版胴１１および第１のブランケット胴１３と同様の構成を有する。
【００６７】
なお、上述した実施形態においては、印刷版を版胴外部のカセットから版胴表面へ供給し、排出する構成の印刷機であるが、本発明は、版胴内に印刷版カセットを有していて版胴表面に順次帯状の印刷版をくり出す形式の無版機能付きの印刷機に採用することができる。
【図面の簡単な説明】
【００６８】
【図１】この発明に係る印刷機の側面概要図である。
【図２】インキ供給装置２０におけるインキ供給部の側面概要図である。
【図３】インキ供給装置２０におけるインキ供給部の平面図である。
【図４】湿し水供給装置２１における湿し水供給部を示す概略図である。
【図５】その外周部に印刷版Ｐを装着した第１の版胴１１、インキ着けローラ５８、水着けローラ７７、および、第１のブランケット胴１３を、その配置を展開して示す説明図である。
【図６】印刷有効領域Ｒ、印刷版Ｐ、第１の版胴１１、インキ着けローラ５８、水着けローラ７７、および、ブランケットＱの長さの関係を示す説明図である。
【符号の説明】
【００６９】
１１    第１の版胴
１２    第２の版胴
１３    第１のブランケット胴
１４    第２のブランケット胴
１５    第１の圧胴
１６    第２の圧胴
１７    給紙胴
１８    渡し胴
１９    排紙胴
２０    インキ供給装置
２１    湿し水供給装置
２３    チェーン
３１    給紙部
３２    排紙部
３３    給版部
３４    給版部
３５    画像記録装置
３６    画像記録装置
５０    インキ
５１    インキ元ローラ
５２    インキ供給ローラ
５３    揺動ローラ
５４    インキキー
５５    偏芯カム
５６    軸
５７    パルスモータ
５８    インキ着けローラ
７４    貯留槽
７５    水元ローラ
７６    渡しローラ
７７    水着けローラ
７８    ライダーローラ
８１    版胴ギヤ
８２    ブランケット胴ギヤ
Ａ      印刷有効領域における版胴１１（１２）の回転軸方向の長さ
Ｂ      最大紙の搬送方向と垂直な方向の長さ
Ｃ      インキ着けローラ５８における回転軸方向の長さ
Ｄ      水着けローラ７７における回転軸方向の長さ
Ｅ      ブランケットにおけるブランケット胴１３（１４）の回転軸方向の長さ
Ｆ      印刷版における版胴１１（１２）の回転軸方向に長さ
Ｐ      印刷版
Ｑ      ブランケット
Ｒ      印刷有効領域
【図１】
2005254650.tif 000003
【図２】
2005254650.tif 000004
【図３】
2005254650.tif 000005
【図４】
2005254650.tif 000006
【図５】
2005254650.tif 000007
【図６】
2005254650.tif 000008